(57)【要約】【課題】係合部が柱上変圧器の吊り耳から外れにくいスリングベルトおよび、係合部を柱上変圧器の吊り耳から外れにくくするスリングベルト用外れ防止具を提供する。【解決手段】吊り耳１０３と、吊り耳１０３の上部に蓋押え部材１０５が設けられた柱上変圧器１０１を、スリングベルト１１１により吊る際に、スリングベルト１１１の係合部１１２が吊り耳１０３から外れるのを防ぐ外れ防止具１であり、係合部１１２が挿入され、吊り耳１０３に掛けられた係合部１１２の上部側を蓋押え部材１０５とともに締め付ける環状の締付部１１と、締付部１１に連結され、締付部１１が緩まないように吊り耳１０３に掛けられる環状の引掛部１３とを備える。【選択図】図３
2018115045.tif 000002
【特許請求の範囲】
【請求項１】
側面に吊り上げ用の吊り耳が設けられた変圧器本体と、前記変圧器本体の上部に装着された蓋と、前記蓋を押さえるように前記吊り耳の上部に固定された蓋押え部材とを備える柱上変圧器を、帯状で両端に環状の係合部が設けられたスリングベルトにより吊る際に、前記係合部が前記吊り耳から外れるのを防ぐスリングベルト用外れ防止具であって、
前記係合部が挿入され、前記吊り耳に掛けられた前記係合部の上部側を前記蓋押え部材とともに締め付ける環状の締付部と、
前記締付部に連結され、前記締付部が緩まないように前記吊り耳に掛けられる環状の引掛部と、
を備えることを特徴とするスリングベルト用外れ防止具。
【請求項２】
前記締付部の径を調節するための調節手段、
を備えることを特徴とする請求項１に記載のスリングベルト用外れ防止具。
【請求項３】
前記締付部と前記引掛部との間に設けられ、前記締付部および前記引掛部を牽引する牽引手段、
を備えることを特徴とする請求項１に記載のスリングベルト用外れ防止具。
【請求項４】
前記係合部から突出するように前記係合部に装着され、前記吊り耳に掛けられた前記引掛部により係止される被係止部材、
を備えることを特徴とする請求項１ないし３のいずれか１項に記載のスリングベルト用外れ防止具。
【請求項５】
帯状で両端に環状の係合部が設けられたスリングベルトであって、
前記係合部に、請求項１ないし４のいずれか１項に記載の外れ防止具が固定されている、
ことを特徴とするスリングベルト。
【発明の詳細な説明】
【技術分野】
【０００１】
この発明は、柱上変圧器を吊るためのスリングベルトと、スリングベルトに取り付けられるスリングベルト用外れ防止具に関する。
【背景技術】
【０００２】
電柱上に設置されている柱上変圧器は、側面に吊り上げ用の吊り耳が設けられた変圧器本体と、変圧器本体の上部に装着された蓋と、蓋を押さえるように吊り耳の上部にボルトで固定された蓋押え部材とを備える。この柱上変圧器は、取り替えの際に玉掛けワイヤやスリングベルトを使用して、吊り上げや吊り下げが行われる。すなわち、スリングベルトを使用して柱上変圧器を吊る場合、スリングベルトの両端に設けられた環状の係合部を吊り耳に係合させ、スリングベルトの中央部をクレーンなどのフックに掛ける。
【０００３】
ところで、スリングベルトの係合部が柱上変圧器の吊り耳から外れるのを防止するために、係合部をバインド線などで吊り耳（正確には蓋押え部材のボルト）に縛りつけているが、この作業をし忘れることがある。また、バインド線で縛りつける作業は、長尺のバインド線のロールから適当な長さのバインド線を切断し、これを蓋押え部材のボルトに通し、スリングベルトの係合部に緩みが生じないように一方の手で引っ張り、他方の手でバインド線を巻き付ける必要があり、作業が煩雑なため、面倒がられて省略されることがある。さらに、バインド線による固定は、しっかり締めたように見えて締まっていなかったり、一人では適切に巻き付けることができず緩みが生じることもある。このように係合部の外れ防止措置が適切に行なわれていない場合、スリングベルトの係合部が吊り耳から外れて、柱上変圧器が落下するおそれがある。特に、係合部を吊り耳に係合させて、その後、手を放してスリングベルトを無張力・フリーの状態にすると、自重によって係合部が吊り耳から外れたりずれたりしてしまい、それに気付かずにクレーンなどで吊った場合に、柱上変圧器を落下させるおそれがある。
【０００４】
このような問題を解決するために、例えば、柱上開閉器などの機器の側面に設けられたフックの先端部と根元部との間に掛け渡されるように弾性体を装着して、フックの開放部分を塞ぐことにより、スリングベルトの係合部がフックから脱落するのを防止した脱落防止具が発明されている（例えば、特許文献１参照）。この脱落防止具によれば、バインド線に比べて作業が簡単なので取り付けが面倒ではなく、作業者による差が生じることもない。
【先行技術文献】
【特許文献】
【０００５】
【特許文献１】特開２０１２−２５４８７０号公報
【発明の概要】
【発明が解決しようとする課題】
【０００６】
しかしながら、特許文献１の脱落防止具は、フックの下方の開放された部分を弾性体によって塞いで係合部が脱落するのを防止するものであり、フック内で係合部が動く余地があるため、係合部がずれてしまうのを防止することはできない。また、柱上変圧器の吊り耳は、特許文献１で対象としている丸棒を屈曲させただけのフックとは形状が異なるため、特許文献１の脱落防止具は装着できない。
【０００７】
そこで本発明は、係合部が柱上変圧器の吊り耳から外れにくいスリングベルトおよび、係合部を柱上変圧器の吊り耳から外れにくくするスリングベルト用外れ防止具を提供することを目的とする。
【課題を解決するための手段】
【０００８】
上記課題を解決するために、請求項１の発明は、側面に吊り上げ用の吊り耳が設けられた変圧器本体と、前記変圧器本体の上部に装着された蓋と、前記蓋を押さえるように前記吊り耳の上部に固定された蓋押え部材とを備える柱上変圧器を、帯状で両端に環状の係合部が設けられたスリングベルトにより吊る際に、前記係合部が前記吊り耳から外れるのを防ぐスリングベルト用外れ防止具であって、前記係合部が挿入され、前記吊り耳に掛けられた前記係合部の上部側を前記蓋押え部材とともに締め付ける環状の締付部と、前記締付部に連結され、前記締付部が緩まないように前記吊り耳に掛けられる環状の引掛部と、を備えることを特徴とするスリングベルト用外れ防止具である。
【０００９】
請求項２の発明は、請求項１に記載のスリングベルト用外れ防止具において、前記締付部の径を調節するための調節手段、を備えることを特徴とする。
【００１０】
請求項３の発明は、請求項１に記載のスリングベルト用外れ防止具において、前記締付部と前記引掛部との間に設けられ、前記締付部および前記引掛部を牽引する牽引手段、を備えることを特徴とする。
【００１１】
請求項４の発明は、請求項１ないし３のいずれか１項に記載のスリングベルト用外れ防止具において、前記係合部から突出するように前記係合部に装着され、前記吊り耳に掛けられた前記引掛部により係止される被係止部材を備えることを特徴とする。
【００１２】
請求項５の発明は、帯状で両端に環状の係合部が設けられたスリングベルトであって、前記係合部に、請求項１ないし４のいずれか１項に記載の外れ防止具が固定されている、ことを特徴とする。
【発明の効果】
【００１３】
請求項１の発明によれば、外れ防止具の締付部に挿入されたスリングベルトの係合部を柱上変圧器の吊り耳に係合させ、外れ防止具の引掛部を吊り耳に掛けると、締付部が係合部の上部側を蓋押え部材とともに締め付けるので、係合部が吊り耳から外れにくくなる。このように、係合部をバインド線で縛るのに比べて作業が簡単なので、作業が面倒がられて省略されることが少なくなり、一人で作業を行なっても緩みが生じることはない。さらにバインド線と異なり再利用が可能なので、コストが低減可能である。このように、係合部が吊り耳から外れるのを効果的に防止することが可能となり、その結果、機器の落下を防止することが可能となる。
【００１４】
請求項２の発明によれば、締付部の径を調節するための調節手段を備えるため、スリングベルトの太さや、蓋押え部材の大きさなどに応じて適切に調節することができ、締付部に緩みが生じて係合部が吊り耳から外れるのを防ぐことが可能となる。
【００１５】
請求項３の発明によれば、締付部および引掛部を牽引する牽引手段を備えるので、締付部に緩みが生じて係合部が吊り耳から外れるのを防ぐことが可能となる。
【００１６】
請求項４の発明によれば、係合部に装着された被係止部材を吊り耳に掛けられた引掛部により係止するようにしたので、締付部だけでなく、引掛部でも係合部が吊り耳から外れるのを防ぐことが可能となる。
【００１７】
請求項５の発明によれば、スリングベルトの係合部に請求項１ないし４のいずれか１項に記載の外れ防止具を固定したので、スリングベルトを吊り耳に掛ける際に必ず外れ防止具が一緒に掛けられるようになり、係合部の外れ防止措置がし忘れるのを防ぐことが可能となる。
【図面の簡単な説明】
【００１８】
【図１】この発明の実施の形態１に係るスリングベルト用外れ防止具の外観形状を示す斜視図である。
【図２】実施の形態１に係るスリングベルト用外れ防止具にスリングベルトを挿入した状態を示す斜視図である。
【図３】実施の形態１に係るスリングベルト用外れ防止具の使用状態を示す斜視図である。
【図４】実施の形態１に係るスリングベルト用外れ防止具の使用状態を示す側面図である。
【図５】この発明の実施の形態２に係るスリングベルト用外れ防止具の使用状態を示す側面図である。
【図６】この発明の実施の形態３に係るスリングベルト用外れ防止具の被係止部材を示す側面図（Ａ）、上面図（Ｂ）である。
【図７】実施の形態３に係るスリングベルト用外れ防止具の使用状態を示す側面図である。
【図８】この発明の実施の形態４に係るスリングベルトの外観形状を示す斜視図である。
【図９】柱上変圧器を示す正面図である。
【図１０】スリングベルトを示す側面図である。
【発明を実施するための形態】
【００１９】
以下、この発明を図示の実施の形態に基づいて説明する。
【００２０】
（実施の形態１）
図１〜図４は、この発明の実施の形態１を示し、図１は、この実施の形態に係るスリングベルト用外れ防止具（以下、外れ防止具という）１の構成を示す外観斜視図である。この外れ防止具１は、柱上変圧器の側面に設けられた吊り耳にスリングベルトを掛けて吊る際に、スリングベルトが吊り耳から外れるのを防ぐ補助具である。
【００２１】
まず、柱上変圧器１０１について簡単に説明すると、図９に示すように、鉄製の変圧器本体１０２の上部の側面１０２ａに、逆Ｌ字状の吊り耳１０３が複数設けられている。すなわち、変圧器本体１０２は、有底の筒状体で、上部開口を覆う蓋１０４が設けられ、この蓋１０４が複数の吊り耳１０３の上部にボルト１０５ａにより固定された蓋押え部材１０５によって、開閉自在に変圧器本体１０２に連結されている。この吊り耳１０３は、鉄製の略ブロック状で、変圧器本体１０２側が凹状に切り欠かれて凹部１０３ａが形成され、この凹部１０３ａに玉掛けワイヤやスリングベルトなどを掛けられるようになっている。
【００２２】
スリングベルト１１１は、図１０に示すように、帯状で、柱上変圧器１０１の吊り耳１０３に係合する環状の係合部１１２が両端に設けられている。このスリングベルト１１１は、繊維製・布製の変形自在な帯状体で、両端に吊り輪状の係合部１１２が形成され、この係合部１１２を吊り耳１０３の凹部１０３ａに掛けられるようになっている。
【００２３】
外れ防止具１は、図１に示すように、全体としてゴム紐のような弾性を有する材質で形成されており、スリングベルト１１１の係合部１１２が挿入可能な環状の締付部１１と、連結部１２を介して締付部１１の下方に連結された環状の引掛部１３と、引掛部１３の下部に連結された環状の指掛部１４とを備える。また、連結部１２の外周には、例えばプラスチックなどで形成された筒状の調節リング（調節手段）１５が配されている。
【００２４】
外れ防止部１は、図２に示すように、締付部１１にスリングベルト１１１の係合部１１２が挿入される。そして、図３および図４に示すように、係合部１１２を柱上変圧器１０１の吊り耳１０３の凹部１０３ａに掛けてから、指掛部１４に指を掛けて下方に引っ張り、引掛部１３を吊り耳１０３の凹部１０３ａに掛ける。これにより、外れ防止具１全体が有する弾性により、締付部１１が蓋押え部材１０５ととともにスリングベルト１１１の係合部１１２を締め付け、引掛部１３は、締付部１１が緩まないように牽引する。
【００２５】
すなわち、締付部１１が蓋押え部材１０５のボルト１０５ａに引っ掛けられ、引掛部１３が吊り耳１０３の凹部１０３ａに引っ掛けられることにより、ゴム紐でできた締付部１１と引掛部１３の弾性によってスリングベルト１１１の係合部１１２が締付部１１により締め付けられるので、係合部１１２が吊り耳１０３から外れにくくなる。
【００２６】
また、スリングベルト１１１の太さや、蓋押え部材１０５の大きさに応じて調節リング１５が上下動され、締付部１１の径が調節されるので、締付部１１による係合部１１２の締め付けが適切に行なわれるようになり、係合部１１２の外れ防止効果がさらに向上する。
【００２７】
このように、本実施形態の外れ防止部１は、スリングベルト１１１の係合部１１２を柱上変圧器１０１の吊り耳１０３に掛ける際に簡単に装着することができるので、バインド線で縛る場合に比べて作業が大幅に簡単になり、作業が面倒がられて省略されることが少なくなる。また、締付部１１を蓋押え部材１０５に引っ掛けてから、指掛部１４を引っ張って吊り耳１０３に掛けるだけなので、一人でも簡単に作業をすることができ、一人で作業を行なっても緩みが生じることはない。また、バインド線と異なり再利用が可能なので、コストが低減可能である。
【００２８】
さらに、締付部１１の径を調節するための調節リング１５を備えるため、スリングベルト１１１の太さや、蓋押え部材１０５の大きさなどに応じて適切に調節することができ、締付部１１に緩みが生じて係合部１１２が吊り耳１０３から外れるのを防ぐことが可能となる。
【００２９】
このように、本実施形態の外れ防止部１によれば、バインド線に比べて装着作業が簡単でありながら、係合部１１２が吊り耳１０３から外れるのを効果的に防止する点では同等以上の効果が得られるため、その結果、柱上変圧器１０１の落下を防止することが可能となる。
【００３０】
（実施の形態２）
図５は、この実施の形態に係る外れ防止具１Ａの側面図である。この実施の形態は、調節リング１５に代えて、締付部１１と引掛部１３との間に牽引部（牽引手段）１６を設けている点で実施の形態１と構成が異なり、実施の形態１と同等の構成については、同一符号を付することでその説明を省略する。
【００３１】
牽引部１６は、例えば、略円筒状のケース体１６ａ内に引っ張りバネ１６ｂを収容し、この引っ張りバネ１６ｂの両端を締付部１１と引掛部１３とに連結することにより、締付部１１と引掛部１３とが互いに接近する方向に牽引するものである。外れ防止具１Ａは、締付部１１を蓋押え部材１０５のボルト１０５ａの頭に引っ掛けているが、このボルト１０５ａの頭が小さかったりする場合、実施の形態１の調節リング１５で締付部１１の径を小さくすると、締付部１１が外れやすくなってしまう。この点、本実施の形態の牽引部１６によれば、締付部１１を下方の引掛部１３側に牽引して緩みが生じるのを防ぐので、係合部１１２が吊り耳１０３から外れるのを防ぐことが可能となる。
【００３２】
（実施の形態３）
図６は、この実施の形態に係るスリングベルト１１１の被係止部材２０を示し、図７は、被係止部材２０による係合部１１２の外れ防止作用を示す側面図である。この実施の形態は、外れ防止具１自体は実施の形態１と同一のものであり、スリングベルト１１１に装着される被係止部材２０を備える点で実施の形態１と構成が異なり、実施の形態１と同等の構成については、同一符号を付することでその説明を省略する。
【００３３】
被係止部材２０は、例えば、金属製の線材を屈曲させて、スリングベルト１１１の係合部１１２に係止される係止部２０ａと、係合部１１２から突出される突出部２０ｂとを一体に設けたものである。この被係止部材２０が装着されたスリングベルト１１１を柱上変圧器１０１の吊り耳１０３に掛けると、被係止部材２０が凹部１０３ａ内に収容され、凹部１０３ａに掛けられた引掛部１３によって係止される。すなわち、スリングベルト１１１の係合部１１２は、上部が締付部１１によって締め付けられ、下部が引掛部１３によって係止されるので、より吊り耳１０３から外れにくくなる。
【００３４】
（実施の形態４）
図８は、この実施の形態に係るスリングベルト１１１Ａを示し、上述した既製のスリングベルト１１１の係合部１１２の上部に、スリングベルトと同じ材質で形成された取付片１１３によって、実施の形態１と同様の外れ防止具１が固定され、外れ防止機能を有するスリングベルトとしたものである。なお、実施の形態１と同等の構成については、同一符号を付することでその説明を省略する。
【００３５】
本実施の形態のスリングベルト１１１Ａによれば、係合部１１２に外れ防止具１を固定したので、スリングベルト１１１Ａを吊り耳１０３に掛ける際に必ず外れ防止具１が一緒に掛けられるようになり、係合部１１２の外れ防止措置がし忘れるのを防ぐことが可能となる。
【００３６】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、スリングベルト用外れ防止具として説明したが、例えば両端に環状の係合部が設けられた玉掛けワイヤの外れ防止具としても利用可能である。また、柱上変圧器に対するスリングベルト用外れ防止具として説明したが、柱上開閉器など、その他の機器の吊り耳（フック）からの外れ防止にも適用可能である。
【符号の説明】
【００３７】
１        スリングベルト用外れ防止具
１１      締付部
１２      連結部
１３      引掛部
１４      指掛部
１５      調節リング（調節手段）
１６      牽引部（牽引手段）
２０      被係止部材
１０１    柱上変圧器
１０２    変圧器本体
１０３    吊り耳
１０３ａ  凹部
１０４    蓋
１０５    蓋押え部材
１０５ａ  ボルト
１１１    スリングベルト
１１２    係合部
１１３    取付片
【図１】
2018115045.tif 000003
【図２】
2018115045.tif 000004
【図３】
2018115045.tif 000005
【図４】
2018115045.tif 000006
【図５】
2018115045.tif 000007
【図６】
2018115045.tif 000008
【図７】
2018115045.tif 000009
【図８】
2018115045.tif 000010
【図９】
2018115045.tif 000011
【図１０】
2018115045.tif 000012